(57)【要約】【課題】円環部材の内周面にスケール部材を高精度かつ容易に取り付けることが可能な回転検出装置を提供する。【解決手段】回転検出装置（２００）は、円環部材（２１）と、可撓性を有し、円環部材の内周部に取り付けられるスケール部材（２７）と、スケール部材に対向し、スケール部材との相対回転を検出する検出手段（２２１）とを有し、円環部材の内周部は、スケール部材と接触する複数の接触面（２１１ａ）と、円環部材の回転軸方向において接触面と異なる位置に設けられた内周面（２１２Ａ）とを有し、複数の接触面の内接円の円周長は、スケール部材の長手方向の長さよりも短く、内周面の円周長は、スケール部材の長さ以上であり、複数の接触面のそれぞれと内周面は、回転軸方向に滑らかにつながっている。【選択図】図１
2020086197.tif 000002
【特許請求の範囲】
【請求項１】
円環部材と、
可撓性を有し、前記円環部材の内周部に取り付けられるスケール部材と、
前記スケール部材に対向し、前記スケール部材との相対回転を検出する検出手段とを有し、
前記円環部材の前記内周部は、前記スケール部材と接触する複数の接触面と、前記円環部材の回転軸方向において前記接触面と異なる位置に設けられた内周面と、を有し、
前記複数の接触面の内接円の円周長は、前記スケール部材の長手方向の長さよりも短く、
前記内周面の円周長は、前記スケール部材の長さ以上であり、
前記複数の接触面のそれぞれと前記内周面は、前記回転軸方向に滑らかにつながっている
ことを特徴とする回転検出装置。
【請求項２】
前記円環部材は、前記複数の接触面のそれぞれと前記内周面との間に設けられた斜面を有する
ことを特徴とする請求項１に記載の回転検出装置。
【請求項３】
前記斜面は、平面部および曲面部の少なくとも一方を含む
ことを特徴とする請求項２に記載の回転検出装置。
【請求項４】
前記内周面の前記回転軸方向の幅は、前記スケール部材の前記回転軸方向の幅よりも長い
ことを特徴とする請求項１乃至３のいずれか１項に記載の回転検出装置。
【請求項５】
前記内周面の前記回転軸方向の幅は、前記スケール部材の前記回転軸方向の幅よりも短い
ことを特徴とする請求項１乃至３のいずれか１項に記載の回転検出装置。
【請求項６】
前記検出手段が取り付けられる固定部材を更に有し、
前記円環部材の前記内周面は、前記固定部材と係合する軸受部である
ことを特徴とする請求項１乃至５のいずれか１項に記載の回転検出装置。
【請求項７】
前記円環部材の前記内周部は、前記複数の接触部の前記内接円よりも前記円環部材の径方向の外側に凹んだ複数の凹部を有し、
前記スケール部材は、リング状に曲げられ、かつ前記複数の凹部の内側に撓んだ状態で前記円環部材の前記内周部に取り付けられている
ことを特徴とする請求項１乃至６のいずれか１項に記載の回転検出装置。
【請求項８】
撮像光学系と、
請求項１乃至７のいずれか１項に記載の回転検出装置と、を有する
ことを特徴とするレンズ装置。
【請求項９】
請求項８に記載のレンズ装置と、
前記レンズ装置を介して形成される光学像を光電変換する撮像素子と、
前記撮像素子を保持するカメラ本体と、を有する
ことを特徴とする撮像装置。
【請求項１０】
前記レンズ装置は、前記カメラ本体に対して着脱可能である
ことを特徴とする請求項９に記載の撮像装置。
【発明の詳細な説明】
【技術分野】
【０００１】
本発明は、光学装置等の各種装置に用いられる回転検出装置に関する。
【背景技術】
【０００２】
カメラや交換レンズ等の光学装置は、操作リングの回転を検出して該光学装置に各種動作を行わせる機能を有する。このような操作リングには無端回転が可能なものがあり、これに対応する回転検出装置が必要である。
【０００３】
従来、操作リングの内周に設けられたスケールと、スケールとの相対回転が可能なフォトセンサとを有し、フォトセンサからスケールに設けられた周期パターンに対応する信号を出力する回転検出装置が知られている。特許文献１には、操作リングの内周面にシートを貼り付けて構成されたスケールを有する光学装置が開示されている。
【先行技術文献】
【特許文献】
【０００４】
【特許文献１】特開２０１６−１１００７０号公報
【発明の概要】
【発明が解決しようとする課題】
【０００５】
しかしながら、特許文献１に開示されているようなシートを操作リングの内周面に浮きなく貼り付けるには、シートに引っ張り力を与えながら貼り付ける必要がある。このとき、引っ張り力のばらつきにより、スケールの周方向長さにばらつきや、シートの両端間の隙間の周方向幅に誤差が生じ、回転検出精度が低下する可能性がある。また、操作リングの内周面に貼り付けたシートを剥がして再度貼り付けることで、スケールの長さや両端間の隙間の幅を調整することは可能であるが、作業に手間がかかる。
【０００６】
そこで本発明は、従来よりも円環部材の内周面にスケール部材を高精度かつ容易に取り付けることが可能な回転検出装置、レンズ装置、および、撮像装置を提供することを目的とする。
【課題を解決するための手段】
【０００７】
本発明の一側面としての回転検出装置は、円環部材と、可撓性を有し、前記円環部材の内周部に取り付けられるスケール部材と、前記スケール部材に対向し、前記スケール部材との相対回転を検出する検出手段とを有し、前記円環部材の前記内周部は、前記スケール部材と接触する複数の接触面と、前記円環部材の回転軸方向において前記接触面と異なる位置に設けられた内周面とを有し、前記複数の接触面の内接円の円周長は、前記スケール部材の長手方向の長さよりも短く、前記内周面の円周長は前記スケール部材の長さ以上であり、前記複数の接触面のそれぞれと前記内周面は、前記回転軸方向に滑らかにつながっている。
【０００８】
本発明の他の側面としてのレンズ装置は、撮像光学系と前記回転検出装置とを有する。
【０００９】
本発明の他の側面としての撮像装置は、前記レンズ装置と、前記レンズ装置を介して形成される光学像を光電変換する撮像素子と、前記撮像素子を保持するカメラ本体とを有する。
【００１０】
本発明の他の目的及び特徴は、以下の実施形態において説明される。
【発明の効果】
【００１１】
本発明によれば、従来よりも円環部材の内周面にスケール部材を高精度かつ容易に取り付けることが可能な回転検出装置、レンズ装置、および、撮像装置を提供することができる。
【図面の簡単な説明】
【００１２】
【図１】本実施形態における撮像装置の外観斜視図である。
【図２】本実施形態における撮像装置のブロック図である。
【図３】本実施形態における回転検出装置の分解斜視図である。
【図４】本実施形態における回転検出装置の断面図である。
【図５】本実施形態における反射スケールの説明図である。
【図６】本実施形態における操作リングの説明図である。
【図７】本実施形態における操作リングの説明図である。
【図８】本実施形態における反射スケールと内接円との関係を示す展開図である。
【図９】反射スケールと内接円と内周接続線との関係を示す展開図である。
【図１０】本実施形態における反射スケールと内接円との温度環境下での関係を示す展開図である。
【図１１】本実施形態における反射スケール長と内接円の円周長とスケール受け部の合計長との関係を示す展開図である。
【図１２】本実施形態における反射スケールの撓みを示す図である。
【図１３】本実施形態における反射スケールを操作リングに取り付ける方法を示す断面図である。
【図１４】本実施形態における反射スケールを操作リングの回転摺動部に配置した状態を示す斜視図である。
【図１５】本実施形態における回転検出方法の説明図である。
【発明を実施するための形態】
【００１３】
以下、本発明の実施形態について、図面を参照しながら詳細に説明する。
【００１４】
まず、図１および図２を参照して、本実施形態における撮像装置１００について説明する。図１は、撮像装置１００の外観斜視図である。図２は、撮像装置１００のブロック図である。撮像装置１００は、カメラ本体１と、カメラ本体に着脱可能な交換レンズ（レンズ装置）２とを備えて構成される。交換レンズ２の外周には、無端回転可能な操作部材としての操作リング２１が設けられている。
【００１５】
カメラ本体１は、カメラ制御部１１および撮像素子１２を有する。カメラ制御部１１は、交換レンズ２のレンズ制御部２６と通信を行うことが可能である。撮像素子１２は、カメラ本体１に保持され、交換レンズ２を介して形成される光学像を光電変換して画像データを出力する。交換レンズ２は、前述の操作リング２１、検出部（検出手段）２２１、フォーカスレンズ２４１、フォーカス駆動部２４２、絞りユニット２５１、絞り駆動部２５２、および、レンズ制御部２６を有する。
【００１６】
検出部２２１は、後述する反射スケールからの反射光を受光するフォトリフレクタにより構成され、操作リング２１の回転に応じた検出信号を出力する。レンズ制御部２６は、検出部２２１からの検出信号を用いて操作リング２１の回転方向、回転量および回転速度を検出することができる。フォーカスレンズ２４１は、交換レンズ２内に収容された不図示の撮像光学系内に設けられ、撮像光学系の焦点位置を調整するレンズである。フォーカス駆動部２４２は、フォーカスレンズ２４１を撮像光学系の光軸方向に移動させるためのアクチュエータである。絞りユニット２５１は、複数の絞り羽根により絞り開口を形成し、絞り開口の大きさを変化させて絞り開口を通過する光量を調節する。絞り駆動部２５２は、絞りユニット２５１の絞り羽根を駆動するアクチュエータである。レンズ制御部２６は、検出部２２１からの操作信号を取得し、カメラ本体１との通信を行い、または、フォーカス駆動部２４２および絞り駆動部２５２を制御するマイクロコンピュータである。
【００１７】
操作リング２１には、その操作に応じてフォーカスレンズ２４１を駆動して焦点位置を調整する機能または絞りユニット２５１を駆動して光量を調整する機能のいずれかがカメラ本体１におけるユーザ設定によって割り当てられている。レンズ制御部２６は、検出部２２１からの検出信号から操作リング２１の回転方向および回転量等を検出し、その検出結果を用いて、操作リング２１に割り当てられている機能に応じてフォーカス駆動部２４２または絞り駆動部２５２を制御するよう動作する。また、レンズ制御部２６は、カメラ本体１からＡＦのためのフォーカス駆動命令やＡＥのための絞り駆動命令を受信して、フォーカス駆動部２４２や絞り駆動部２５２を制御する。
【００１８】
次に、図３乃至図５を参照して、操作リング２１の回転を検出する検出部２２１を含む回転検出装置２００について説明する。図３は、回転検出装置２００の分解斜視図である。図４は、回転検出装置２００の断面図である。図５は、回転検出装置２００における反射スケール（スケール部材）２７の説明図である。以下の説明において、光軸方向における被写体側を前側といい、像側を後側という。また、光軸回り方向を周方向といい、光軸に直交する方向を径方向という。
【００１９】
回転検出装置２００は、固定筒（固定部材）２３、操作リング２１、スケール部材としての反射スケール２７および検出部２２１により構成される。固定筒２３は交換レンズ２のベース部材であり、固定筒２３には操作リング２１の回転をガイドする回転受け部２３２と検出部２２１を固定する（取り付ける）ためのセンサ固定部２３１とが設けられている。操作リング２１は、前述したように操作部材であるとともに、その内周部に反射スケール２７が取り付けられる円環部材である。なお、本実施例では、操作リング２１が操作部材かつ円環部材であるが、操作部材と円環部材が別部材であってもよい。
【００２０】
回転検出装置は、固定筒２３、操作リング２１、反射スケール（スケール部材）２７、および、検出部２２１を備えて構成されている。固定筒２３は、交換レンズ２のベース部材であり、固定筒２３には操作リング２１の回転をガイドする回転受け部２３２と検出部２２１を固定するためのセンサ固定部２３１とが設けられている。操作リング２１は、前述したように操作部材であるとともに、その内周部に反射スケール２７が取り付けられる円環部材である。なお、本実施形態では、操作リング２１が操作部材かつ円環部材であるが、操作部材と円環部材が別部材であってもよい。
【００２１】
検出部２２１は、センサ（フォトリフレクタ）２２１ａと、センサ２２１ａが実装されたセンサＦＰＣ２２１ｂとを備えて構成され、固定筒２３のセンサ固定部２３１に固定されている。
【００２２】
操作リング２１の内周部は、スケール受け部２１１、および、スケール受け部２１１の前側および後側にそれぞれ設けられた回転摺動部２１２Ａ、２１２Ｂを有する。スケール受け部２１１は、反射スケール２７が取り付けられて接触する接触面である。図４に示されるように、回転摺動部２１２Ａは固定筒２３の回転受け部２３２と回転可能に係合し、回転摺動部２１２Ｂは固定筒２３に連結された前筒２８の回転受け部２８２と回転可能に係合する。これにより、固定筒２３および前筒２８に対する操作リング２１の回転軸（回転中心軸）が決まる。このように回転摺動部２１２Ａ、２１２Ｂは、回転受け部２３２、２８２と係合して操作リング２１の回転軸を決める軸受部である。後述のように、回転摺動部２１２Ａは、軸受部としての機能に加えて、操作リング２１に反射スケール２７を組み込む際にも利用される。
【００２３】
図５は、反射スケール２７の説明図であり、反射スケール２７のパターン面と側面を平面状に展開して示している。反射スケール２７は、そのパターン面上に複数の反射部２７ａと複数の非反射部２７ｂとが交互に配置された可撓性を有するシート部材であり、操作リング２１のスケール受け部２１１に図３に示されるようにリング状に曲げられて取り付けられる。反射部２７ａと非反射部２７ｂは、互いに反射率が異なる（反射部２７ａの反射率が非反射部２７ｂのそれよりも高い）。すなわち、パターン面上には、周期的に反射率が変更するパターンが形成されている。
【００２４】
図５において、反射スケール２７の長手方向（周方向）における反射部２７ａの幅をＲａとし、非反射部２７ｂの幅をＲｂとする。また、１つの反射部２７ａから次の反射部２７ａまでの長さ（所定ピッチ：以下、パターンピッチという）をＲｐとする。本実施例では、反射スケール２７の長手方向の長さＬ１を、パターンピッチＲｐの整数倍（×ｎ）に設定している。反射スケール２７の長手方向の両端部のうち一方にはパターンの一部分としての反射部２７ａが設けられ、他方にはパターンの他の一部分としての非反射部２７ｂが設けられている。
【００２５】
また、図５に示されるように、側面から見たときの反射スケール２７の厚みをｔとする。厚みｔ内には、母材部とパターン形成部の厚みが含まれている。母材部は、ＳＵＳ等の金属材料やＰＥＴ等の樹脂材料であって可撓性を有する板材により構成される。パターン形成部には、反射材に非反射面を印刷することで上述したパターンが形成されている。パターン形成部の表面（図５における下面）が上述したパターン面である。
【００２６】
次に、図６および図７を参照して、操作リング２１のスケール受け部２１１について説明する。図６および図７は、操作リング２１のスケール受け部２１１の説明図（断面図）である。図６に示されるように、スケール受け部２１１は、複数の接触部（接触面）２１１ａと複数の凹部（非接触部）２１１ｂとが周方向に交互に配置されて構成されている。図７に示されるように、複数の接触部２１１ａに内接する円を内接円Ａとする。凹部２１１ｂは、内接円Ａよりも径方向外側に凹んだ部分である。また、内接円Ａの中心Ｏから接触部２１１ａまでの最短距離をＲとし、内接円Ａの円周長をＬ２とする。
【００２７】
図８は、反射スケール２７と内接円Ａとの関係を示す展開図である。反射スケール２７の長さＬ１は、内接円Ａの円周長Ｌ２よりも所定値Ｌ３だけ長く設定される。逆に言えば、内接円Ａの円周長Ｌ２は、反射スケール２７の長さＬ１よりも所定値Ｌ３だけ短く設定される。すなわち、接触部２１１ａを決める最短距離Ｒは、反射スケール２７の長さＬ１と所定値Ｌ３とにより設定される。非接触部２１１ｂは、内接円Ａよりも外側に位置するように設けられる。
【００２８】
所定値Ｌ３は、反射スケール２７と操作リング２１の部品公差内での寸法ばらつきと、反射スケール２７と操作リング２１の線膨張係数の違いによる変形量の差があっても、以下の２つの条件を満たすように設定される。図９（Ａ）、（Ｂ）は、これらの条件を満たさない場合の例を示す。言い換えれば、図９（Ａ）、（Ｂ）に示されるような関係では、以下の条件１および条件２を満たしていないことになる。
【００２９】
条件１：内接円Ａの円周長Ｌ２が、反射スケール２７の長さＬ１より短いこと。
【００３０】
条件２：スケール受け部２１１上の全ての接触部２１１ａとこれらのそれぞれの両側の２つの凹部２１１ｂとをつなぐ２面（斜面）の面に沿った長さの合計長Ｌ４が、反射スケール２７の長さＬ１よりも長いこと。
【００３１】
図１０を参照して、反射スケール２７をリング状に曲げたときの反射スケール２７の両端部間の間隔の条件１を満たすための最大値Ｌ３′（Ａ）について説明する。図１０は、反射スケール２７と内接円Ａとの温度環境下での関係を示す展開図である。
【００３２】
まず、操作リング２１の材料（樹脂）の線膨張係数が反射スケール２７の母材部の材料の線膨張係数より大きい場合について説明する。反射スケール２７の長さＬ１の公差を±αとする。内接円Ａの中心から接触部２１１ａまでの最短距離Ｒの公差を±βとするとき、内接円Ａの円周長が最大になるときの設計値からの増加量Ｃは、以下の式（１）で表される。
【００３３】
Ｃ＝２・β・π  …  （１）
交換レンズ２の使用温度範囲における最高温度での線膨張係数による変化量を考慮した反射スケール２７の長さをＬ１′、内接円Ａの円周長をＬ２′とする。これらの値から反射スケール２７の両端部間の間隔が大きくなる方向の値を足すと、最大値Ｌ３′（Ａ）は以下の式（２）のように表される。
【００３４】
Ｌ３′（Ａ）＝α＋２・β・π＋（Ｌ２′−Ｌ１′）  …  （２）
操作リング２１の材料の線膨張係数が反射スケール２７の母材部の材料の線膨張係数よりも小さい場合には、低温時に反射スケール２７の両端部間の間隔が最も大きくなる。このため、使用温度範囲における最低温度での反射スケール２７の長さをＬ１″、内接円Ａの円周長をＬ２″とすると、最大値Ｌ３′（Ｂ）は以下の式（３）のように表される。
【００３５】
Ｌ３′（Ｂ）＝α＋２・β・π＋（Ｌ１″−Ｌ２″）  …  （３）
条件２について、反射スケール２７の両端部間の干渉量（以下、両端干渉量という）を用いて説明する。操作リング２１の材料の線膨張係数が反射スケール２７の母材部の材料の線膨張係数より大きい場合の反射スケール２７の両端干渉量の最大値がＬ３′（Ｂ）、前者の方が小さい場合の両端干渉量の最大値がＬ３′（Ａ）となる。
【００３６】
以上のことから、所定値Ｌ３は、以下の式（４）または（５）に示す範囲で設定される。すなわち、操作リング２１の材料の線膨張係数が反射スケール２７の母材部の材料の線膨張係数より大きい場合、図１１に示すように、所定値Ｌ３は式（４）の範囲で設定される。図１１は、反射スケール長と内接円の円周長とスケール受け部の合計長との関係を示す展開図である。
【００３７】
Ｌ３′（Ａ）＜Ｌ３＜Ｌ４−Ｌ１−Ｌ３′（Ｂ）  …  （４）
一方、操作リング２１の材料の線膨張係数が反射スケール２７の母材部の材料の線膨張係数より小さい場合、所定値Ｌ３は式（５）の範囲で設定される。
【００３８】
Ｌ３′（Ｂ）＜Ｌ３＜Ｌ４−Ｌ１−Ｌ３′（Ａ）  …  （５）
以上の結果から、条件１と条件２を満たす所定値Ｌ３を導き出すことができ、反射スケール２７の長さＬ１から所定値Ｌ３を差し引いた値Ｌ２が内接円Ａの円周長となるように最短距離Ｒを決定する。
【００３９】
前述のようにスケール受け部２１１を構成することで、部品精度のばらつきや温度変化にかかわらず、反射スケール２７は、接触部２１１ａに対して押圧され、かつ両端部同士が当接することでスケール受け部２１１に保持される。接触部２１１ａに対する押圧力は、弾性を有する反射スケール２７のリング状の曲げにより発生した付勢力により与えられる。また、両端部同士の当接力は、反射スケール２７の複数の凹部２１１ｂの内側への撓みにより発生した付勢力により与えられる。
【００４０】
図１２は、反射スケール２７の撓みを示す図である。実際の反射スケール２７の長さＬ１と内接円Ａの円周長Ｌ２との差は、図１２に示されるように凹部２１１ｂ内への反射スケール２７の撓み量を変えることで吸収される。これにより、反射スケール２７の変形方向が径方向の内方とならないように制御することができる。
【００４１】
所定値Ｌ３を前記条件内で大きい値に設定すると、凹部２１１ｂ内への反射スケール２７の撓み量は大きくなるが、前述の両端部同士の当接力と接触部２１１ａに対する付勢力が大きくなる。一方、所定値Ｌ３を前記条件内で小さい値に設定すると、凹部２１１ｂ内への反射スケール２７の撓み量は小さくなるが、前述の両端部同士の当接力と接触部２１１ａに対する付勢力は小さくなる。両端部同士の当接力が小さくなることで、反射スケール２７の塑性変形を抑えることができる。
【００４２】
本実施例のように反射スケール２７の両端部同士を当接させることにより、両端部同士のつなぎ目での反射や非反射部２７ｂのピッチばらつきは回転検出装置の組立て誤差の影響を受けず、反射スケール２７の部品公差内でのばらつきに収まる。反射スケール２７の一方の端部に非反射部２７ｂを設けているため、つなぎ目にて生じる微小な非反射領域もこれに隣接する非反射部２７ｂと同じものとして検出される。
【００４３】
本実施例のように反射スケール２７の両端部同士を当接させる構成を採用することで、スケールピッチＲｐを小さくすることができる。これにより、本実施例の回転検出装置は、操作リング２１の回転検出を高分解能で行うことができ、フォーカスレンズ２４１のような高精細な位置制御を行う場合にも使用することができる。
【００４４】
次に、図１３および図１４を参照して、本実施形態の反射スケール２７を操作リング２１に取り付ける方法（組む込む方法）について説明する。図１３は、反射スケール２７を操作リング２１に取り付ける方法を示す断面図である。図１４は、反射スケール２７を取付準備径に配置した状態を示す斜視図である。
【００４５】
図１３に示されるように、操作リング２１は、内接円Ａを形成する接触部（接触面）２１１ａに加えて、所定の径（取付準備径）を有する回転摺動部（内周面）２１２Ａ、斜面２３５、および、スケール突き当て部２１４を有する。回転摺動部２１２Ａの円周長は、反射スケール２７の長さＬ１以上であるように設定される。すなわち回転摺動部２１２Ａの取付準備径は、内接円Ａの径よりも大きい。斜面２３５は、接触部２１１ａと回転摺動部２１２Ａとを滑らかに連続的につなぐ面である。なお斜面２３５は、接触部２１１ａと回転摺動部２１２Ａとを滑らかに連続的につなぐ面であれば、平面に限定されるものではなく、曲面であってもよい。すなわち斜面２３５は、平面部および曲面部の少なくとも一方を含む。スケール突き当て部２１４は、反射スケール２７の回転軸方向の位置を決定するためのストッパー部である。
【００４６】
図１４に示されるように、回転摺動部２１２Ａの取付準備径の円周長は反射スケールの長さＬ１よりも長いため、回転摺動部２１２Ａは反射スケール２７の突っ張り力を受けず、操作リング２１の回転摺動部２１２Ａに容易に組み込むことができる。図１３中の位置（Ａ）は、回転摺動部２１２Ａに反射スケール２７を配置した状態を示す。この状態から、反射スケール２７の側面を図１３中の矢印Ｆの方向に（接触部２１１ａへ向けた方向に）反射スケール２７がスケール突き当て部２１４に当たるまで押し込む。その際、回転摺動部２１２Ａと接触部２１１ａとが斜面２３５でつながっているため、反射スケール２７は、滑らかに接触部２１１ａと係合する位置（Ｂ）に押し込まれ、操作リング２１に取り付けられる。以上の方法により、反射スケール２７は、被検出位置である接触部２１１ａの内周側に、径方向および周方向のそれぞれにおける突っ張り力を与えながら取り付けられる。
【００４７】
本実施形態において、反射スケール２７の回転軸方向の幅Ｗ１は、回転摺動部２１２Ａの回転軸方向の幅Ｗ１は、反射スケール２７の回転軸方向の幅Ｗ２と異なるように設定されていることが好ましい。幅Ｗ１が幅Ｗ２よりも長い場合（Ｗ１＞Ｗ２）、反射スケール２７を位置（Ａ）から位置（Ｂ）へ押し込む際に、矢印Ｆで示される力を加えやすくなる。一方、幅Ｗ１が幅Ｗ２よりも短い場合（Ｗ１＜Ｗ２）、反射スケール２７を位置（Ａ）から位置（Ｂ）へ向けて平行に押し込むことができる。いずれの場合でも、反射スケール２７を押し込むことが容易になる。
【００４８】
次に、図４および図１５を参照して、回転検出装置２００による回転検出方法について説明する。図１５は、回転検出方法の説明図である。センサ２２１ａは、操作リング２１のスケール受け部２１１に取り付けられた反射スケール２７のパターン面に対向するように固定筒２３のセンサ固定部２３１に固定される。センサ２２１ａは、反射スケール２７のパターンに向けて光を発する発光部と、パターンの反射部２７ａで反射された光を受光する２つの受光部Ａ，Ｂとを有する。受光部Ａと受光部Ｂの中心間隔は、反射スケール２７における隣り合う反射部２７ａと非反射部２７ｂの周方向での中心間隔と一致している。
【００４９】
操作リング２１が固定筒２３に対して回転すると、反射スケール２７がセンサ２２１ａに対して移動（回転）し、センサ２２１ａの発光部からの光が反射スケール２７の反射部２７ａと非反射部２７ｂに交互に照射される。操作リング２１が一方向に回転する間は、ある反射部２７ａに光が照射されるとその反射部２７ａで反射した光が受光部Ａ、Ｂのうち一方により受光される。その後、次の反射部２７ａに光が照射されるとその反射部２７ａで反射した光が受光部Ａ、Ｂのうち他方により受光される。
【００５０】
図１５に示されるように、受光部Ａ、Ｂからの出力は、受光した反射光の光量が一定の閾値を超えている場合はＨｉｇｈに、閾値を下回る場合はＬｏｗになる。このため、操作リング２１が一方向に回転すると、受光部Ａ、Ｂから互いに９０°位相がずれてＨｉｇｈとＬｏｗが出力される。図１５では、例えば受光部Ａからの出力がＨｉｇｈで受光部Ｂからの出力がＬｏｗであることを“Ｈ／Ｌ”と示している。
【００５１】
レンズ制御部２６は、受光部Ａ、Ｂの出力の組み合わせから、操作リング２１の回転方向、回転量、および、回転速度を検出する。具体的には、例えば、受光部Ａ、Ｂの出力が“Ｈ／Ｌ”から“Ｌ／Ｌ”に変化することで１パルス分の回転量を検出する。また、一定時間内に検出したパルス数により回転速度を検出する。さらに、受光部Ａ，Ｂの出力が“Ｈ／Ｌ”→“Ｈ／Ｈ”→“Ｌ／Ｈ”→“Ｌ／Ｌ”→“Ｈ／Ｌ”のうちいずれかの切り替わりを検出することで、操作リング２１の回転方向が図中に丸囲み１で示す方向であることを検出する。また、受光部Ａ，Ｂの出力が“Ｈ／Ｌ”→“Ｌ／Ｌ”→“Ｌ／Ｈ”→“Ｈ／Ｈ”→“Ｈ／Ｌ”のうちいずれかの切り替わりを検出することで、操作リング２１の回転方向が図中に丸囲み２で示す方向であることを検出する。このように本実施形態では、センサ２２１ａと反射スケール２７とを対向して配置し、センサ２２１ａと反射スケール２７とを相対的に移動させることにより、操作リング２１の操作量、操作速度、および、操作方向を検出することができる。
【００５２】
本実施形態において、複数の接触部２１１ａの内接円Ａの円周長Ｌ２は反射スケール２７の長さＬ１よりも短く、回転摺動部２１２Ａの円周長は、反射スケール２７の長さＬ１以上である。また、複数の接触部２１１ａのそれぞれと回転摺動部２１２Ａは、斜面２３５を介して、回転軸方向に滑らかにつながっている。このような構成により、粘着剤を用いることなく反射スケール２７を操作リング２１に取り付けることができる。このため本実施形態によれば、円環部材（操作リング２１）の内周面にスケール部材を高精度かつ容易に取り付けることが可能な回転検出装置、レンズ装置、および、撮像装置を提供することができる。
【００５３】
以上、本発明の好ましい実施形態について説明したが、本発明はこれらの実施形態に限定されず、その要旨の範囲内で種々の変形及び変更が可能である。
【００５４】
例えば、本実施形態では、カメラ（撮像装置）用のレンズ装置に設けられた操作リングに搭載する回転検出装置について説明したが、本発明はこれに限定されるものではない。本発明の回転検出装置は、例えば、オーディオ機器の音量調整ノブや、直動ステージの調節ノブ等にも適用可能である。また回転検出装置は、操作検出手段としてだけでなく、例えばモータの回転検出に用いることも可能である。
【符号の説明】
【００５５】
２１  操作リング（円環部材）
２７  反射スケール（スケール部材）
２１１ａ  接触部（接触面）
２１２Ａ  回転摺動部（内周面）
２２１  検出部（検出手段）
【図１】
2020086197.tif 000003
【図２】
2020086197.tif 000004
【図３】
2020086197.tif 000005
【図４】
2020086197.tif 000006
【図５】
2020086197.tif 000007
【図６】
2020086197.tif 000008
【図７】
2020086197.tif 000009
【図８】
2020086197.tif 000010
【図９】
2020086197.tif 000011
【図１０】
2020086197.tif 000012
【図１１】
2020086197.tif 000013
【図１２】
2020086197.tif 000014
【図１３】
2020086197.tif 000015
【図１４】
2020086197.tif 000016
【図１５】
2020086197.tif 000017